(57)【要約】【課題】各室に分散配置されたタンク式の空気除菌装置の水管理を容易にした空気除菌システムを提供する。【解決手段】給水タンクから供給される水を電気分解して電解水を生成し、この電解水を気液接触部材に供給し、この気液接触部材に空気を送ることによって空気を除菌する複数の空気除菌装置１Ａ〜１Ｅを備えると共に、これら複数の空気除菌装置１Ａ〜１Ｅを複数の室に分散配置し、各空気除菌装置１Ａ〜１Ｅのコントローラから引き出した信号線１１０を別室に配設された集中コントローラ５０に接続し、この集中コントローラ５０が、各空気除菌装置１Ａ〜１Ｅのコントローラから水管理情報を得て表示可能とした。【選択図】図１
2008061735.tif 000002
【特許請求の範囲】
【請求項１】
給水タンクから供給される水を電気分解して電解水を生成し、この電解水を気液接触部材に供給し、この気液接触部材に空気を送ることによって空気を除菌する複数の空気除菌装置を備えると共に、これら複数の空気除菌装置を複数の室に分散配置し、
各空気除菌装置のコントローラから引き出した信号線を別室に配設された表示器に接続し、この表示器が、前記コントローラから水管理情報を得て表示可能としたことを特徴とする空気除菌システム。
【請求項２】
請求項１に記載の空気除菌システムにおいて、
前記水管理情報は、前記給水タンクへの給水を要求する情報であることを特徴とする空気除菌システム。
【請求項３】
請求項１に記載の空気除菌システムにおいて、
前記空気除菌装置のコントローラに各々接続され、前記コントローラから前記給水タンクの給水及び当該空気除菌装置内の水交換を要求する信号が出力された場合に、前記信号線を介して共通の信号を表示器に出力するアダプタを備えることを特徴とする空気除菌システム。
【請求項４】
請求項１乃至３のいずれかに記載の空気除菌システムにおいて、
前記表示器は、当該表示器に接続された空気除菌装置の各々に割り当てられた複数の発光体と、各発光体を各空気除菌装置からの水管理情報に基づいて駆動制御する制御部とを備えることを特徴とする空気除菌システム。
【請求項５】
請求項１乃至４のいずれかに記載の空気除菌システムにおいて、
前記表示器は、前記空気除菌装置への指示を入力する操作部を備え、この操作部の操作を前記信号線を介して各空気除菌装置のコントローラに通知することによって前記空気除菌装置を集中コントロール可能としたことを特徴とする空気除菌システム。
【発明の詳細な説明】
【技術分野】
【０００１】
本発明は、複数の室内に浮遊する細菌、ウィルス、真菌等の空中浮遊微生物（以下、単に「ウィルス等」という）の除去が可能な空気除菌システムに関する。
【背景技術】
【０００２】
従来、水道水を電気分解して次亜塩素酸を含む電解水を生成し、この電解水を用いて空気中に浮遊するウィルス等の除去を図った空気除菌装置が提案されている（例えば、特許文献１参照）。この空気除菌装置は、水道水が供給される配管と減圧弁と流量調整弁とを備え、この配管から比較的高圧で供給される水道水を減圧弁で減圧し、流量調整弁で流量を調整している。
【特許文献１】特開２００２−１８１３５８号公報
【発明の開示】
【発明が解決しようとする課題】
【０００３】
ところで、多室の施設、例えば、学校、病院、複数の映画施設を収容した映画館等においては、上記のような空気除菌装置を各室に分散配置することが望まれる。
しかしながら、従来の除菌装置は、設置時に水道配管と接続する配管工事が必要になるため、設置作業が繁雑になってしまう。設置作業を簡易にしたい場合、水道水を貯留する給水タンクを設ける方法が考えられるが、各室へ出向いて給水タンクの残量を確認する作業が必要になってしまう。
【０００４】
そこで、本発明の目的は、各室に分散配置されたタンク式の空気除菌装置の水管理を容易にした空気除菌システムを提供することにある。
【課題を解決するための手段】
【０００５】
上述した課題を解決するため、本発明は、空気除菌システムにおいて、給水タンクから供給される水を電気分解して電解水を生成し、この電解水を気液接触部材に供給し、この気液接触部材に空気を送ることによって空気を除菌する複数の空気除菌装置を備えると共に、これら複数の空気除菌装置を複数の室に分散配置し、各空気除菌装置のコントローラから引き出した信号線を別室に配設された表示器に接続し、この表示器が、前記コントローラから水管理情報を得て表示可能としたことを特徴とする。この発明によれば、複数の室に分散配置された各空気除菌装置のコントローラから引き出した信号線を別室に配設された表示器に接続し、この表示器が、前記コントローラから水管理情報を得て表示可能としたので、表示器によって各空気除菌装置の水管理が容易になる。
【０００６】
上記構成において、前記水管理情報は、前記給水タンクへの給水を要求する情報であることが好ましい。この構成によれば、複数の室に分散配置された各空気除菌装置のいずれから給水タンクへの給水要求が出力されたかを表示器で容易に認識することができる。
【０００７】
上記構成において、前記空気除菌装置のコントローラに各々接続され、前記コントローラから前記給水タンクの給水及び当該空気除菌装置内の水交換を要求する信号が出力された場合に、前記信号線を介して共通の信号を表示器に出力するアダプタを備えることが好ましい。この構成によれば、空気除菌装置のコントローラからの信号をアダプタにより通信変換して表示器に出力することができる。
【０００８】
上記構成において、前記表示器は、当該表示器に接続された空気除菌装置の各々に割り当てられた複数の発光体と、各発光体を各空気除菌装置からの水管理情報に基づいて駆動制御する制御部とを備えることが好ましい。この構成によれば、発光体の発光状態によって各空気除菌装置の水管理を行うことが可能になる。
【０００９】
上記構成において、前記表示器は、前記空気除菌装置への指示を入力する操作部を備え、この操作部の操作を前記信号線を介して各空気除菌装置のコントローラに通知することによって前記空気除菌装置を集中コントロール可能とすることが好ましい。この構成によれば、複数台の空気除菌装置の集中コントロールと水管理とをまとめて行うことができる。
【発明の効果】
【００１０】
本発明は、給水タンクから供給される水を電気分解して電解水を生成し、この電解水を気液接触部材に供給し、この気液接触部材に空気を送ることによって空気を除菌する複数の空気除菌装置を備えると共に、これら複数の空気除菌装置を複数の室に分散配置し、各空気除菌装置のコントローラから引き出した信号線を別室に配設された表示器に接続し、この表示器が、コントローラから水管理情報を得て表示可能としたので、各室に分散配置されたタンク式の空気除菌装置の水管理を容易にすることができる。
【発明を実施するための最良の形態】
【００１１】
以下、図面を参照して本発明の実施形態を詳述する。
図１は、本発明の実施形態に係る空気除菌システム１００を示す図である。この空気除菌システム１００は、複数の室を有する施設用のシステムであり、施設内の各室に分散配置される複数台の空気除菌装置１Ａ、１Ｂ、１Ｃ、１Ｄ、１Ｅと、各空気除菌装置１Ａ〜１Ｅに信号線１１０を介して配線接続される集中コントローラ５０とを備えている。なお、以下の説明において、空気除菌装置１Ａ〜１Ｅを特に区別する必要が無い場合は空気除菌装置１と表記する。
【００１２】
図２は空気除菌装置１の外観図であり、図３はその内部構成を示す図である。この空気除菌装置１は、空気除菌に使用する水道水が給水タンク１１（図３参照）から供給されるタンク式空気除菌装置であり、本装置１では給水タンク１１が着脱自在に構成され、この給水タンク１１を持ち運んで容易に水の補給が可能になっている。詳述すると、この空気除菌装置１は、箱形の筐体２を備え、この筐体２は、脚片２Ａと、前パネル２Ｂと、天パネル２Ｃとを含み、この天パネル２Ｃの両側には、操作蓋２Ｄ、開閉蓋２Ｅがそれぞれ横並びに配置されている。また、前パネル２Ｂの左側上部には各種情報を報知する報知パネル４０が配置されている。
【００１３】
この筐体２の下部には、図３に示すように、吸込口３が配置され、この吸込口３の上方には吸込口フィルタ３Ａが配置される。この吸込口フィルタ３Ａの上方には、送風ファン７が支持板８を介して筐体２に支持される。この支持板８の上方には、保水性かつ通気性を有する気液接触部材５が斜めに支持される。この気液接触部材５の上方には、吹出口４が設けられ、この吹出口４には、図示せぬ吹出口フィルタが配置されている。この送風ファン７の駆動時には、室内空気が吸込口３から吸い込まれ、気液接触部材５を通過した後に吹出口４から室内に吹き出し、室内空気が気液接触部材５を循環するように構成されている。
【００１４】
気液接触部材５の下方には、気液接触部材５から滴下した水を受ける水受皿９が配置されている。この水受皿９の一端部は、より深底に形成されて貯留部１０が形成され、この貯留部１０の上には、給水タンク１１が着脱自在に支持されている。
給水タンク１１は、水道水を貯留するタンクであり、貯留部１０に水を供給可能な構成となっている。詳細には、この給水タンク１１の底部には、フロートバルブ付きの給水口が設けられ、貯留部１０の水面が給水口よりも下になると、給水タンク１１から必要量の水が供給され、貯留部１０の水位が一定に保たれる。
【００１５】
貯留部１０の上には循環ポンプ１３が配置される。この循環ポンプ１３は、図４（Ａ）に示すように、貯留部１０に貯留された水を汲み上げて電解槽３１に供給する。電解槽３１は、図４（Ｂ）に示すように、当該電解槽３１内に複数対の電極３２、３３を交互に備え、各電極３２、３３間に電圧が印加されることによって電解槽３１内の水道水を電気分解して活性酸素種を含む電解水を生成する。この電解槽３１内に生成された電解水は、図４（Ａ）に示すように、循環ポンプ１３が排出する水によって電解槽３１から押し出され、気液接触部材５の上部に配置された散水ボックス１４に供給され、この散水ボックス１４に形成された散水孔から気液接触部材５の上部全体に散水されて気液接触部材５全体が湿潤される。
【００１６】
本実施形態の活性酸素種は、通常の酸素よりも高い酸化活性を持つ酸素分子と、その関連物質を含み、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含めたものとする。電解槽３１は、気液接触部材５に近接して配置され、水道水を電気分解して生成された活性酸素種が、ただちに気液接触部材５に供給されるように構成される。
【００１７】
電極３２、３３は、例えばベースがＴｉ（チタン）で皮膜層がＩｒ（イリジウム）、Ｐｔ（白金）から構成された電極板であり、この電極３２、３３に供給する電流値は、電流密度で数ｍＡ（ミリアンペア）／ｃｍ2（平方センチメートル）〜数十ｍＡ／ｃｍ2になるように設定され、所定の遊離残留塩素濃度（例えば１ｍｇ（ミリグラム）／ｌ（リットル））を発生させる。
【００１８】
詳述すると、上記電極３２、３３により水道水に通電すると、カソード電極では、水中の水素イオン（Ｈ+）と水酸化物イオン（ＯＨ-）とが下記式（１）に示すように反応する。
４Ｈ+＋４ｅ-＋（４ＯＨ-）→２Ｈ2＋（４ＯＨ-）    ・・・（１）
【００１９】
一方、アノード電極（陽極）では、下記式（２）に示すように水が電気分解される。
２Ｈ2Ｏ→４Ｈ+＋Ｏ2＋４ｅ-    ・・・（２）
とともに、アノード電極では、水に含まれる塩素イオン（塩化物イオン：Ｃｌ-）が下記式（３）に示すように反応し、塩素（Ｃｌ2）が発生する。
２Ｃｌ-→Ｃｌ2＋２ｅ-    ・・・（３）
さらに、この塩素は下記式（４）に示すように水と反応し、次亜塩素酸（ＨＣｌＯ）と塩化水素（ＨＣｌ）が発生する。
Ｃｌ2＋Ｈ2Ｏ→ＨＣｌＯ＋ＨＣｌ    ・・・（４）
【００２０】
カソード電極で発生した次亜塩素酸は広義の活性酸素種に含まれるもので、強力な酸化作用や漂白作用を有する。従って、次亜塩素酸が溶解した水溶液、すなわち空気除菌装置１により生成される電解水が気液接触部材５に供給されると、送風ファン７により吹き出された室内空気が次亜塩素酸と接触し、空気中に浮遊するウィルス等が不活化されるとともに、当該空気に含まれる臭気物質が次亜塩素酸と反応して分解され、或いはイオン化して溶解する。従って、空気の除菌及び脱臭がなされ、清浄化された空気が気液接触部材５から排出される。
【００２１】
この活性酸素種によるウィルス等の不活化の作用として、インフルエンザウィルスの例を挙げる。上述した活性酸素種は、インフルエンザの感染に必須とされるインフルエンザウィルスの表面蛋白（スパイク）を破壊、消失（除去）する作用を有する。この表面蛋白が破壊された場合、インフルエンザウィルスと、インフルエンザウィルスが感染するのに必要な受容体（レセプタ）とが結合しなくなり、感染が阻止される。このため、空気中に浮遊するインフルエンザウィルスは、気液接触部材５において活性酸素種を含む電解水に接触することにより、いわば感染力を失うこととなり、感染が阻止される。
【００２２】
図５は空気除菌装置１と集中コントローラ５０の電気的構成を示す図である。なお、この図においては、一台の空気除菌装置１と集中コントローラ５０を示している。空気除菌装置１は、当該装置１の各部を制御するコントローラ３０と、このコントローラ３０に接続された通信変換装置であるローカルアダプタ（以下、アダプタと言う）４５とを備えており、各アダプタ４５から引き出した信号線１１０を別室に配設された集中コントローラ５０に接続している。
【００２３】
図５に示すように、上述した送風ファン７、循環ポンプ１３、電極３２、３３及び上記各部に電力を供給する電源部３９は、コントローラ３０に接続され、コントローラ３０の制御に従って動作する。また、コントローラ３０には、前パネル２Ｂに設けられた報知パネル４０と、操作蓋２Ｄを開くと露出する操作パネル４１とが接続されると共に、電解槽３１内の水位を検出する電解槽フロートスイッチ４２と、水受皿９の貯留部１０の水位を検出する水受皿フロートスイッチ４３とが接続されている。
【００２４】
報知パネル４０は、図２に示すように、リセットボタンＢＴと、複数の発光体である複数（本例では４つ）のランプＬ１〜Ｌ４を備え、具体的には、運転中を報知する運転ランプＬ１と、フィルタの掃除を報知するフィルタランプＬ２と、給水タンク１１への給水を報知する給水ランプＬ３と、水交換を報知する水交換ランプＬ４とを備えている。
なお、水交換とは、給水タンク１１を満水の状態まで給水させ、この状態で貯留部１０に貯留された水を循環ポンプ１３により図示せぬ排水チューブを介して外部に排出させ、排水処理が終了したら給水タンク１１へ給水させて空気除菌装置１内の水を交換させる作業を促すものである。操作パネル４１は、運転開始／停止ボタンや風速切り換えボタン等の操作子と表示パネルとを備え、各種指示をコントローラ３０に通知する他、各種エラーを表示する。
【００２５】
図５に示すように、コントローラ３０は、空気除菌装置１全体を制御するマイコン３４と、マイコン３４が実行する制御プログラム等の各種データを記憶する記憶部３５と、操作パネル４１における操作を検出して操作内容をマイコン３４に出力する入力部３６と、マイコン３４の制御に基づいて計時動作を行うタイマカウンタ３７と、マイコン３４の出力信号を入力して操作パネル４１の表示パネルや報知パネル４０の各ランプＬ１〜Ｌ４を駆動する駆動部３８とを備える。
【００２６】
アダプタ４５は、コントローラ３０の入出力ポート（図示略）に接続され、コントローラ３０（マイコン３４）からの出力信号Ｘを入力し、この出力信号Ｘを集中コントローラ５０が判別可能な信号に変換して集中コントローラ５０に出力する機能と、集中コントローラ５０からの操作信号Ｚをマイコン３４が判別可能な信号に変換してコントローラ３０に出力する機能を具備している。
【００２７】
詳述すると、このアダプタ４５は、コントローラ３０からの出力信号Ｘとして、運転開始を示す運転信号Ｘ１と、運転停止を示す停止信号Ｘ２と、フィルタ交換を報知するフィルタ交換信号Ｘ３と、給水タンク１１への給水を報知する給水信号Ｘ４（水管理情報）と、水交換を報知する水交換信号Ｘ５（水管理情報）とからなる５種類の信号を入力可能に接続される。そして、このアダプタ４５は、集中コントローラ５０に対し、運転信号Ｘ１を入力した場合は点灯を指示する信号（以下、点灯信号という）Ｙ１を出力し、停止信号Ｘ２を入力した場合は集中コントローラ５０の後述するランプ部５２の消灯を指示する信号（以下、消灯信号という）Ｙ２を出力し、フィルタ交換信号Ｘ３、給水信号Ｘ４及び水交換信号Ｘ５を入力した場合は点滅を指示する信号（以下、点滅信号という）Ｙ３を出力する。すなわち、アダプタ４５は、コントローラ３０から入力した５種類の信号Ｘ１〜Ｘ５を、３種類の信号Ｙ１〜Ｙ３に変換して集中コントローラ５０に出力する。
【００２８】
なお、アダプタ４５は，上述の３種類の信号Ｙ１〜Ｙ３を出力する場合、自機或いは空気除菌装置１を識別可能な情報を付加して出力することにより、集中コントローラ５０側でいずれの空気除菌装置１かを特定可能である。
また、アダプタ４５は、図５に示すように、集中コントローラ５０から操作信号Ｚ（一斉運転を指示する操作信号Ｚ１或いは一斉停止を指示する信号Ｚ２）を入力すると、対応する信号Ｚ１’、Ｚ２’をコントローラ３０に出力する。
【００２９】
集中コントローラ５０は、マイコン５１と、表示器として機能するランプ部５２と、操作部５３とを備えている。マイコン５１は、集中コントローラ５０全体を制御すると共に、信号線１１０を介してアダプタ４５と通信する機能を備えている。ランプ部５２は、図１に示すように、この集中コントローラ５０に接続可能な最大数（本例では１６台）の空気除菌装置１に１対１で対応する複数（本例では１６個）のランプ（発光体）ＬＡを備え、ランプＬＡの制御部として機能するマイコン５１の制御の下、各ランプＬＡが点灯、点滅或いは消灯制御される。なお、図１に示す「１」〜「１６」の数字は、各ランプＬＡに対応する空気除菌装置１を特定するための番号である。
【００３０】
操作部５３は、この集中コントローラ５０に接続された全ての空気除菌装置１を一斉運転及び一斉停止させるための集中コントロール用の操作子５３Ａ、５３Ｂを備え、各操作子５３Ａ、５３Ｂが操作された場合、その旨を示す操作信号Ｚ１、Ｚ２が信号線１１０を介してアダプタ４５に出力される。
【００３１】
次に、この空気除菌システム１００の動作を説明する。
まず、空気除菌装置１の動作を説明する。空気除菌装置１のマイコン３４は、記憶部３５に記憶された制御プログラムを読み込んで実行することにより、図６に示すように、空間清浄運転処理Ｓ１、給水判定処理Ｓ２、フィルタ判定処理Ｓ３及び水交換判定処理Ｓ４を実行する。
空間清浄運転処理Ｓ１について説明すると、マイコン３４は、動作開始操作を示す情報が入力部３６から入力されると、循環ポンプ１３を動作させて水の循環を開始させると共に、電源部３９に基づく所定電圧を電極３２、３３に印加して電解水を生成させる。その後、マイコン３４は送風ファン７を回転駆動させて送風を開始させる。以上の一連の動作により、空気除菌装置１の空気清浄運転（空気除菌運転）が開始される。この空気清浄運転の開始に伴って、マイコン３４は、運転信号Ｘ１を駆動部３８に出力し、駆動部３８によって運転ランプＬ１を点灯させる。また、マイコン３４が、動作停止操作を示す情報が入力部３６から入力されると、各部の運転を停止すると共に停止信号Ｘ２を出力して運転ランプＬ１を消灯させる。
【００３２】
この空間清浄運転処理Ｓ１では、集中コントローラ５０において一斉運転又は一斉停止の操作子５３Ａ、５３Ｂが操作され、アダプタ４５から対応する信号が入力された場合、空気除菌装置１のマイコン３４は、運転開始又は運転停止の指示として入力し、上述した空気清浄運転の開始処理や運転停止処理を行う。従って、この空気除菌システム１００では、各空気除菌装置１が当該装置１の操作パネル４１による手動操作と集中コントローラ５０からのリモート操作とが可能に構成されている。
【００３３】
次に給水判定処理Ｓ２について説明すると、マイコン３４は、空気清浄運転（空気除菌運転）の実行中に、電解槽フロートスイッチ４２及び水受皿フロートスイッチ４３の検出結果を監視する。そして、マイコン３４は、電解槽フロートスイッチ４２によって電解槽３１内の水位が低水位となったことが検出され、かつ、水受皿フロートスイッチ４３によって水受皿９の貯留部１０の水位が低水位となったことが検出された場合に、給水信号Ｘ４を出力して給水ランプＬ３を点灯させると共に、電極３２、３３への電圧の印加及び循環ポンプ１３及び送風ファン７の運転を停止させる。
【００３４】
次いでフィルタ判定処理Ｓ３について説明すると、マイコン３４は、空気清浄運転のトータルの運転時間をタイマカウンタ３７により計時し、運転時間が予め定めたフィルタ交換時間に達すると、フィルタ交換信号Ｘ３を出力してフィルタランプＬ２を点灯させる。また、マイコン３４は、リセットボタンＢＴの操作（長押し操作）が入力部３６から入力されると、タイマカウンタ３７のカウント値をリセットする。
【００３５】
次に水交換判定処理Ｓ４について説明すると、マイコン３４は、タイマカウンタ３７により計時された空気清浄運転のトータルの運転時間が予め定めた水交換運転時間に達するか否かを判定する。そして、水交換時間に達すると、マイコン３４は、水交換信号Ｘ５を出力して水交換ランプＬ４を点灯させる。また、この方法に代えて、電解槽３１の電極３２、３３間の抵抗値、つまり、水の導電率を検出する導電率検出手段を設け、検出した導電率が予め定めた導電率下限値を下回った場合に、水交換信号Ｘ５を出力して水交換ランプＬ４を点灯させてもよい。また、この場合も、マイコン３４は、リセットボタンＢＴの操作（長押し操作）が入力部３６から入力されると、タイマカウンタ３７のカウント値をリセットする。
【００３６】
上述したように、空気除菌装置１のアダプタ４５は、コントローラ３０（マイコン３４）からの出力信号Ｘ１〜Ｘ５を監視し、上述したように、運転信号Ｘ１を入力した場合は点灯信号Ｙ１を、停止信号Ｘ２を入力した場合は消灯信号Ｙ２を、フィルタ交換信号Ｘ３、給水信号Ｘ４及び水交換信号Ｘ５を入力した場合は点滅信号Ｙ３を、信号線１１０を介して集中コントローラ５０に出力する。
【００３７】
集中コントローラ５０においては、マイコン５１が点灯信号Ｙ１を入力した場合、ランプ部５２により点灯信号Ｙ１を出力したアダプタ４５を設置した空気除菌装置１を示すランプＬＡを点灯させる。これにより、その空気除菌装置１が運転中である旨を表示することができる。
また、マイコン５１が消灯信号Ｙ２を入力した場合は、ランプ部５２により、消灯信号Ｙ２を出力したアダプタ４５を設置した空気除菌装置１を示すランプＬＡを消灯させる。これにより、その空気除菌装置１が運転停止中である旨を表示することができる。
【００３８】
また、マイコン５１が点滅信号Ｙ３を入力した場合には、ランプ部５２により点滅信号Ｙ３を出力したアダプタ４５を設置した空気除菌装置１を示すランプＬＡを点灯させる。これにより、その空気除菌装置１がフィルタ交換、給水及び水交換のいずれかを要求している旨を表示することができる。
これらフィルタ交換、給水及び水交換は、いずれも空気除菌装置１に出向くことを必要とする。このため、複数台の空気除菌装置１の管理者（メンテナンス責任者）は、ランプＬＡの点滅表示によりそのランプＬＡが示す空気除菌装置１に出向く必要があることを容易に認識することができる。
【００３９】
以上説明したように、本実施形態によれば、複数台の空気除菌装置１に信号線１１０を介して接続された集中コントローラ５０に、各空気除菌装置１の状態を表示するランプ部５２（表示器）を設け、各空気除菌装置１のコントローラ３０から給水タンク１１の給水や水交換等の水管理を要求する水管理情報（給水信号Ｘ４、水交換信号Ｘ５）が出力された場合に、その旨をランプ部５２で表示可能としたので、各室に分散配置された複数台の空気除菌装置１の水管理を容易にすることができる。
しかも、各空気除菌装置１のコントローラ３０に接続されたアダプタ４５が、コントローラ３０から給水タンク１１の給水及び水交換を要求する複数の水管理情報が出力された場合、共通の信号（点滅信号Ｙ３）に変換して集中コントローラ５０に出力するようにしたので、集中コントローラ５０に出力される信号の種類を低減することができる。従って、集中コントローラ５０のマイコン５１等の機能（判別可能な信号種類等）が制限されている場合でも、その限られた機能を有効に利用して水管理が必要な旨を確実に集中コントローラ５０で表示することができる。
【００４０】
さらに、本実施形態では、集中コントローラ５０に水管理が必要な旨を表示するランプ部５２を設けたので、この集中コントローラ５０によって各室に分散配置された複数台の空気除菌装置１を集中コントロールできると共に、水管理が必要な空気除菌装置１を特定でき、複数台の空気除菌装置１の一元管理がより容易になる。
【００４１】
なお、本実施形態に係る空気除菌システム１００は、本発明の一態様であり、本発明の趣旨を逸脱しない範囲において適宜変更可能である。例えば、上述の実施形態では、給水タンク１１が空気除菌装置１内に設置される場合について説明したが、これに限らず、図７に示すように、給水タンク１１を空気除菌装置１（１Ａ〜１Ｅ）の外部に設けてもよい。給水タンク１１を外部に設置すれば、給水タンク１１の大きさの制限をなくすことができ、給水タンク１１を容易に大型化することができる。
【００４２】
また、上述の実施形態では、コントローラ３０から給水タンク１１の給水及び水交換を要求する複数種類の水管理情報が出力された場合に、共通の信号（点滅信号Ｙ３）を集中コントローラ５０に出力する場合について説明したが、これに限らず、給水及び水交換のそれぞれに対応する信号を集中コントローラ５０に出力するようにしてもよい。
さらに、上述の実施形態では、空気除菌装置１のコントローラ３０にアダプタ４５を外部接続する場合について説明したが、これに限らず、コントローラ３０にアダプタ４５を内蔵させるようにしてもよいことを勿論である。
さらに、上述の実施形態では、集中コントローラ５０に水管理が必要な旨を表示するランプ部５２を設ける場合について説明したが、これに限らず、集中コントローラ５０とは別体の表示器（ランプ部５２とランプ部５２を駆動制御するマイコン（制御部））を設けるようにしてもよい。また、この表示器が液晶表示パネル等の表示パネルを備えた表示器であってもよい。
【図面の簡単な説明】
【００４３】
【図１】本発明の実施形態に係る空気除菌システムを示す図である。
【図２】空気除菌装置の外観図である。
【図３】空気除菌装置の内部構成を示す図である。
【図４】（Ａ）は空気除菌装置の機械的構成を示す図であり、（Ｂ）は電解槽の内部構成を示す図である。
【図５】空気除菌装置１と集中コントローラ５０の電気的構成を示す図である。
【図６】空気除菌装置の動作を示すフローチャートである。
【図７】変形例に係る空気除菌システムを示す図である。
【符号の説明】
【００４４】
１、１Ａ〜１Ｅ  空気除菌装置
２  筐体
５  気液接触部材
７  送風ファン
９  水受皿
１０  貯留部
１１  給水タンク
１３  循環ポンプ
３０  コントローラ
３４、５１  マイコン
４０  報知パネル
４１  操作パネル
４５  ローカルアダプタ
５０  集中コントローラ
５２  ランプ部（表示器）
５３  操作部
５３Ａ、５３Ｂ  操作子
１００  空気除菌システム
１１０  信号線
ＢＴ  リセットボタン
Ｌ１  運転ランプ
Ｌ２  フィルタランプ
Ｌ３  給水ランプ
Ｌ４  水交換ランプ
ＬＡ  ランプ
【図１】
2008061735.tif 000003
【図２】
2008061735.tif 000004
【図３】
2008061735.tif 000005
【図４】
2008061735.tif 000006
【図５】
2008061735.tif 000007
【図６】
2008061735.tif 000008
【図７】
2008061735.tif 000009